(57)【要約】【課題】揺動した切刃が戻る際に確実に上方向のループを形成することができ、テープ先端に確実に非接着部分を形成することができるテープカッターを提供することを目的とする。【解決手段】ロール状の粘着テープを回転自在に支持するテープ支持部と、引き出されたテープを下方に導く下ガイドと、前記下ガイドの下をくぐったテープを上方に導く上ガイドと、前記上ガイドの下流側に配置されテープ引き出し方向に揺動可能な切刃と、前記切刃を前記上ガイドに向かって付勢する付勢手段とを備えたことを特徴とする。【選択図】図１
2007137601.tif 000002
【特許請求の範囲】
【請求項１】
ロール状の粘着テープを回転自在に支持するテープ支持部と、
引き出されたテープを下方に導く下ガイドと、
前記下ガイドの下をくぐったテープを上方に導く上ガイドと、
前記上ガイドの下流側に配置されテープ引き出し方向に揺動可能な切刃と、
前記切刃を前記上ガイドに向かって付勢する付勢手段とを備えたことを特徴とするテープカッター。
【請求項２】
前記切刃は回転体に設けられており、
前記回転体の回転軸は前記上ガイドよりも下方に配置され、かつテープ引き出し方向に直交しており、
前記回転体の回動方向上流側には回動により前記上ガイドに当接して回動を規制するストッパ部を備えることを特徴とする請求項１記載のテープカッター。
【請求項３】
前記回転体は円柱に切欠部を設けたドラムであって、前記切欠部内に前記上ガイドが位置するように配置され、前記切欠部の下流側に前記切刃を設け、前記切欠部の上流側の壁面が前記ストッパ部を構成することを特徴とする請求項２記載のテープカッター。
【請求項４】
前記上ガイドはテープ引き出し方向に直交する棒体であって、上流側に曲面を有し、かつ少なくとも下流側に平面部を備えていることを特徴とする請求項１記載のテープカッター。
【請求項５】
前記上ガイドはローラであって、
前記切刃の上流側に設けられ該切刃と共に揺動する接着台を備え、
前記下ガイドは揺動可能であって、該下ガイドの下をくぐったテープを下方に付勢することを特徴とする請求項１記載のテープカッター。
【発明の詳細な説明】
【技術分野】
【０００１】
本発明は、ロール状の粘着テープを任意の長さで切り取るためのテープカッターであって、特にテープ先端に非接着部分を形成することのできるテープカッターに関するものである。
【０００２】
なお本出願において下方とは引き出された粘着テープの粘着面側をいい、上方とは引き出された粘着テープの非粘着面側（背面側）をいうものとし、必ずしも重力に対する上下方向をいうものではない。同様に本出願において上流側とは引き出された粘着テープのロール側をいい、下流側とは引き出された粘着テープの先端側をいうものとする。
【背景技術】
【０００３】
長尺状の粘着テープを円管状の心材にロール状に巻回したテープは広く知られており、これを任意の長さでカットするための各種のテープカッターも広く利用されている。
【０００４】
図１０（ａ）は従来の据置型のテープカッターを説明する図である。図に示すように一般的なテープカッター（以下「一般品１００」という。）は、ロール状の粘着テープ（以下「粘着テープ１」という。）を回転自在に支持するホイール１０１（テープ支持部）と、接着台１０２と、切刃１０３とを備えている。接着台１０２と切刃１０３との間には溝１０４が設けられている場合が多い。
【０００５】
このようなテープカッターにおいて粘着テープ１をカットするための原理としては、切刃１０３の上流側において接着台１０２に粘着テープ１を貼着させ、下流側において手で下方向に粘着テープ１を引くことにより、粘着テープ１に切刃１０３を食い込ませてカットするものである。仮に接着台１０２がないとすれば、粘着テープ１は切刃１０３の先端を滑ってしまってカットすることができない。なお、可搬式の簡易なテープカッターでは、テープの回転を手で押さえてカットする構成のものもある。
【０００６】
ところで粘着テープは、貼ったときから後に剥がすことが予定されている場合も多い。貼った粘着テープを剥がそうとしたとき、端部から爪で少しずつこじって引き起こさなくてはならず、その際に破れてしまって容易には剥がせない場合も多い。そこで、後に剥がすことが予定されている場合には、テープを貼る際に端部を折って非接着部分を形成することが個人的に行われている。この非接着部分をつかんで引くことにより、爪でこじる必要もなく、テープが破れてしまうこともなく、極めて容易に剥がすことが可能となる。しかし非接着部分の形成は毎度のこととなると面倒であり、あらかじめ粘着テープの先端を折り畳んで非接着部分が形成されていれば簡便である。
【０００７】
従来からも、自動的にテープの先端をループさせて非接着部分を形成するテープカッターについて、例えば特開平０９−１０００６１号（特許文献１）、実開昭５８−１０６３４６号（特許文献２）など、数多くの提案がなされている。
【０００８】
これらの文献に記載されたテープカッターの基本的な原理はほぼ同様である。特許文献１に記載された構成を例に用いて説明すれば、図１０（ｂ）に示すように、接着台１０２の下流側に設けられた切刃１０３は、テープ引き出し方向に揺動可能に構成されている。また切刃１０３は、接着台１０２に向かって付勢する不図示のバネと、回動量を規制する不図示のストッパを備えている。上記構成によれば、粘着テープ１を引き出すことにより切刃１０３が回動し、やがて粘着テープ１が接着台１０２に貼り付く。そして粘着テープ１をカットした後に切刃１０３が戻ることによりループ１ａが形成され、非接着部分（タブ）が粘着テープ１の先端に形成される。
【０００９】
また特許文献１には、接着台をローラとした構成が記載されている。これによりテープの引き出しが容易になるとしている（公報の段落００１８、図５参照）。また特許文献２には、切刃の上流側に一体的に接着台を設けた構成が記載されている。これによりカットされたテープの先端は切刃に設けられた接着台に接着する構成となっている（公報の図１の接着保持板４を参照）。
【特許文献１】特開平０９−１０００６１号
【特許文献２】実開昭５８−１０６３４６号
【発明の開示】
【発明が解決しようとする課題】
【００１０】
しかし上記従来のテープカッターにおいては、動作の確実性において以下に示すような問題があった。
【００１１】
まず図１０（ｃ）に示すように、粘着テープ１が接着台１０２に確実に接着しないため、時おり切刃１０３が戻る際に粘着テープ１が戻ってしまってループが形成されない場合がある。また図１０（ｄ）に示すように、カットされた粘着テープ１の先端が切刃１０３に接着せず、切刃１０３が戻る際に粘着テープ１の先端が残されて垂れ下がる場合がある。また図１０（ｅ）に示すように、ループ１ａが下方に向かって形成されてしまい、非接着部分が形成されない場合がある。
【００１２】
上記いずれの現象が生じても、カットした粘着テープ１の先端に非接着部分は形成されない。そして上記いずれの特許文献の技術においても、確実に非接着部分を形成するには到っていない。
【００１３】
そこで本発明は、揺動した切刃が戻る際に確実に上方向のループを形成することができ、テープ先端に確実に非接着部分を形成することができるテープカッターを提供することを目的とする。
【課題を解決するための手段】
【００１４】
上記課題を解決するために、本発明に係るテープカッターの代表的な構成は、ロール状の粘着テープを回転自在に支持するテープ支持部と、引き出されたテープを下方に導く下ガイドと、前記下ガイドの下をくぐったテープを上方に導く上ガイドと、前記上ガイドの下流側に配置されテープ引き出し方向に揺動可能な切刃と、前記切刃を前記上ガイドに向かって付勢する付勢手段とを備えたことを特徴とする。これにより、テープは下方向から上ガイドに到達し、切刃に到ることとなる。従って上ガイドに確実に接着しうると共に、上ガイドに接着したテープは上方向を向きやすくなり、切刃が戻る際にテープが上方向にループしやすくなる。
【００１５】
前記下ガイドはローラであることが望ましい。これによりテープを引くための力を軽くすることができる。
【００１６】
前記切刃の下流側に、テープが接着して前記切刃の揺動開始を補助するための接着部を備えることが望ましい。これにより、切刃を確実に揺動させることができる。特に、切刃を上ガイドよりも下に位置させた場合に有効である。
【００１７】
前記切刃は、テープ引き出し方向の下流側に向かって傾斜していることが望ましい。より具体的には、１０°〜４０°程度、さらに好ましくは２０°程度とすることが望ましい。カットしたテープは切刃の裏側に接着するため、引き出し方向上流側に向かって下方に向いてしまうが、このように切刃を傾斜させることによりその方向性を緩和させることができる。
【００１８】
前記切刃の上流側かつ前記上ガイドの下方に、前記切刃と前記上ガイドとの間のテープが下方にループした際にこれと接触して突き上げるための突き上げ部を備えることが望ましい。これにより、仮にテープが下方にループしてしまった場合でも、上方へと修正することができる。なお突き上げ部は、テープが接着しにくい素材または形状であることが望ましい。
【００１９】
また、前記切刃は回転体に設けられており、前記回転体の回転軸は前記上ガイドよりも下方に配置され、かつテープ引き出し方向に直交しており、前記回転体の回動方向上流側には回動により前記上ガイドに当接して回動を規制するストッパ部を備えることが望ましい。これにより、部品点数を削減することができ、生産コストの低減化を図ることができる。
【００２０】
前記回転体は円柱に切欠部を設けたドラムであって、前記切欠部内に前記上ガイドが位置するように配置され、前記切欠部の下流側に前記切刃を設け、前記切欠部の上流側の壁面が前記ストッパ部を構成することでもよい。これにより構造の簡略化を図ることができ、部品精度を緩和し、強度向上による材質選択の幅の増加させることができ、ひいては生産コストの低減化を図ることができる。
【００２１】
前記回転体の回転を規制および規制解除するための係止部材を備えていることが好ましい。回転を規制することにより、通常のテープカッターと同様に非接着部分を形成しないテープカッターとして利用することができる。
【００２２】
前記回転体の外周面であって前記切刃より下流側に段部を設け、引き出したテープの上から前記段部を押さえることにより前記回転体の回動開始を補助するよう構成することが望ましい。これにより、回転体をより確実に回転させることができる。
【００２３】
前記上ガイドはテープ引き出し方向に直交する棒体であって、上流側に曲面を有し、かつ少なくとも下流側に平面部を備えていることが好ましい。上ガイドの上流側を曲面とすることにより、平面とする場合に比して角度を厳密に調整する必要がなく、またテープを引く力を軽くすることができる。
【００２４】
前記平面部の上縁にテーパ面を形成するか、または平面部がテープ引き出し方向上流側に向かって傾斜していることが望ましい。テープは曲面と接着した下流側端部の接線に沿うが、このように構成したことにより接線を上方向に向けることができ、切刃が戻る際により確実に上方向にループを形成することができる。
【００２５】
前記上ガイドはローラであって、前記切刃の上流側に設けられ該切刃と共に揺動する接着台を備え、前記下ガイドは揺動可能であって、該下ガイドの下をくぐったテープを下方に付勢することが望ましい。これによりテープを引く力を軽くすることができ、また切刃が戻る際に下ガイドがテープを引くために確実に上方向にループを形成することができる。
【００２６】
前記接着台の上流側端部は、テープをカットした際に前記上ガイドと前記接着台とを結ぶ直線に対して上方向に傾斜していることが好ましい。これにより、より確実に上方向にループを形成することができる。
【００２７】
前記下ガイドは、自重により、または付勢手段によりテープを下方に付勢することができる。自重によれば構造の簡略化と耐久性を図ることができ、付勢手段によれば動作の確実性を増すことができる。
【発明の効果】
【００２８】
本発明によれば、揺動した切刃が戻る際に確実に上方向のループを形成することができ、テープ先端に非接着部分を形成することができる。
【発明を実施するための最良の形態】
【００２９】
以下に、本発明に係るテープカッターの実施例について説明する。以下の説明において具体的な数値、構造、材質などは、特に断りのある場合を除き一般的なものであって一例に過ぎず、本発明は実施例の構成に限定されるものではない。
【００３０】
［実施例１］
本発明に係るテープカッターの第一実施例について説明する。図１は第一実施例に係るテープカッターの全体構成図、図２は動作を説明する図、図３は他の構成例を説明する図、図４は回転体の回動の開始を説明する図である。
【００３１】
（構成の説明）
図１に示すように、本実施例に係るテープカッター２は、ロール状の粘着テープ１を回転自在に支持するホイール１１（テープ支持部）と、引き出された粘着テープ１を下方に導く下ガイド１２と、下ガイド１２の下をくぐったテープを上方に導く上ガイド１３と、上ガイド１３の下流側に配置された切刃１４とを備えている。切刃１４は回転体１５に保持されている。回転体１５の回転軸は上ガイド１３よりも下方に配置され、かつテープ引き出し方向に直交しており、テープ引き出し方向に揺動可能に構成される。テープカッター２の本体にはストッパ１７が設けられ、回転体１５の回動角を規制している。また回転体１５にはバネ１６（付勢手段）が取り付けられており、切刃１４を上ガイド１３に向かって付勢している。
【００３２】
粘着テープ１はロールから引き出された後に、下ガイド１２の下をくぐって上ガイド１３の上を通り、切刃１４へと到るようにセットされる。下ガイド１２は回転自在のローラであって、さらに粘着テープ１の非接着面が当接するために、粘着テープ１を引くための力は極めて軽くなっている。
【００３３】
上ガイド１３はテープ引き出し方向に直交する棒体であって、上流側に円弧面１３ａ（曲面）を有し、かつ下流側および下面に平面部１３ｂ、１３ｃを備えている。粘着テープ１は上ガイド１３の円弧面１３ａに接触して、引き出される際も常に半ば接着した状態となる。しかし接着面が円弧（円柱の側面）であることから、平面である場合と比べると軽い力で粘着テープ１を引き出すことができる。
【００３４】
ここで下ガイド１２の下端は、引き出した粘着テープ１と上ガイド１３の上端とを結ぶ直線よりも下方にある。すなわち、粘着テープ１は常に下ガイド１２に当接し、上ガイド１３に対する粘着テープ１の進入角を規定する。
【００３５】
切刃１４は、回転体１５が上ガイド１３に当接した位置（以下「初期位置」という。）において、その先端の高さが上ガイド１３の上端とほぼ等しい高さに設定される。また切刃１４は、テープ引き出し方向の下流側に向かって１０°〜４０°程度、さらに好ましくは２０°程度傾斜して設けられている。回転体１５には、切刃１４の下流側に隣接して接着部１５ａを備え、また切刃１４の下流側かつ回転体１５の下方に段部１５ｂを備えている。
【００３６】
（動作の説明）
次に、上記構成のテープカッター２の動作について説明する。図２（ａ）に示すように、使用者が手で粘着テープ１を引くことにより、回転体１５はバネ１６の弾性力に抗して回転を開始する。なお、粘着テープ１が切刃１４にあたらないように、若しくは軽く擦る程度となるように若干上方に向かって引き出すことにより、任意の長さのテープを引き出すことができる。
【００３７】
図２（ｂ）に示すように、回転体１５が回動すると、やがてストッパ１７によって回転体１５の回動が規制される。ここでさらに粘着テープ１を引くことにより、切刃１４によってテープがカットされる。このとき若干下方に向かって引けばカットしやすい。
【００３８】
図２（ｃ）に示すように、粘着テープ１がカットされた後は、回転体１５はバネ１６の付勢力によって回動し、上ガイド１３に当接して停止する。このとき粘着テープ１は、切刃１４の先端と、上ガイド１３の円弧面１３ａとに接着しており、上方に向かってループ１ａが形成される。このループ１ａを次回使用時に把持することにより、非接着部分（タブ）が粘着テープ１の先端に形成される。このようにタブが形成された粘着テープ１を用いれば、貼着した後にも容易に剥離させることが可能となる。
【００３９】
（動作を確実にするための構成の説明）
次に、図１０を用いて説明したような不具合を発生せず、確実にループ１ａを形成させるための構成について説明する。
【００４０】
まず、本実施例の構成にあっては、下ガイド１２によって粘着テープ１は下方向から上ガイド１３に到達し、切刃１４に到る。従って粘着テープ１は上ガイド１３に確実に接着するため、図１０（ｃ）に示したように切刃が戻る際に粘着テープ１が戻って垂れてしまうことを防止することができる。
【００４１】
次に、本実施例の構成にあっては、切刃１４がテープ引き出し方向の下流側に向かって傾斜して設けられている。これにより、カットされた粘着テープ１の先端は、切刃１４が垂直に立てられている場合に比して、より切刃１４の裏側に接着しやすくなる。従って図１０（ｄ）に示したように、切刃が戻る際に粘着テープ１の先端が残されて垂れ下がってしまうことを防止することができる。
【００４２】
次に、図１０（ｅ）に示したようにループ１ａが下方に形成されず、確実に上方に形成するための構成について説明する。本実施例のように切刃１４を傾斜させない場合にあっても、粘着テープ１の先端は切刃の裏側にわずかに接着するため、粘着テープ１の先端は引き出し方向上流側に向かって下を向き、下方にループ１ａを形成しやすい。しかし上記のように切刃１４を傾斜させて構成したことにより、この方向性を緩和し、上方へのループ１ａが形成されやすくなっている。
【００４３】
また、下ガイド１２によって粘着テープ１は下方向から上ガイド１３へと到るために、上ガイドに接着したテープは上方向を向きやすくなる。
【００４４】
さらに、仮に上ガイド１３が完全な丸棒であった場合、粘着テープ１をカットする際には切刃１４が下方向に向くことから、図３（ａ）に示すように接着部分の接線も下方向を向いてしまう。このため切刃１４が戻る際には、下方に向かってループ１ａが形成されやすい。しかし本実施例においては上ガイド１３の下流側に平面部１３ｂを設けていることから、図３（ｂ）に示すように、粘着テープ１の接着部分の接線は円弧面１３ａの下流側端部の接線に沿う。このため切刃１４が戻る際には、上方へのループ１ａが形成されやすくなる。
【００４５】
なお、図３（ｃ）に示すように、円弧面１３ａの下流側端部の接線がさらに上方に向くように、上ガイド１３の上縁を断面の円の中心よりも上流側に配置することでも良い。これを実現するための上ガイド１３の断面形状は様々なものが考えられ、例えば上ガイド１３のテープ引き出し方向の厚みを円の半径よりも薄くしたり、平面部１３ｂの上縁にテーパ１３ｄを設けたり、平面部１３ｂをテープ引き出し方向上流側に向かって傾斜させることでもよい。さらには円弧面１３ａを円の一部ではなく、楕円の一部、または任意の曲面とすることができる。
【００４６】
ただしその程度については、下ガイド１２から導かれた粘着テープ１が円弧面１３ａに接着される面積を確保すること、および切刃１４に向かう粘着テープ１が平面部１３ｂまたはテーパ１３ｄに接着してしまわないことについて留意すべきである。具体的には、断面の円の中心から上ガイド１３の上縁までの角度αを０〜２５°程度の範囲内とすることが好ましい。
【００４７】
上記のように、切刃１４と上ガイド１３の両側において、上方にループ１ａが形成されやすくなっている。従って、下方にループ１ａが形成されることなく、確実に非接着部分（タブ）を形成することができる。
【００４８】
また、図４（ａ）に示すように、粘着テープ１の硬度および粘着力によっては切刃１４の刃先を滑ってしまい、回転体１５が回転を開始しない場合がある。しかし本実施例においては切刃１４の下流側に隣接して接着部１５ａを備えていることから、図４（ｂ）に示すように若干下方に向かって引くことにより粘着テープ１を接着部１５ａに接着させ、より確実に回転体１５の回動を開始させることができる。
【００４９】
さらに図４（ｃ）に示すように、切刃１４の下流側かつ回転体１５の下方に備えた段部１５ｂは、下流側に向かって突出しており、引き出したテープの上から押圧しやすくなっている。従って図に示すように段部１５ｂを押すことにより、確実に回転体１５の回動を開始させることができる。
【００５０】
なお、上ガイド１３の円弧面１３ａに粘着テープ１が接着することは、粘着テープ１を引く力を軽くするのみでなく、角度を厳密に調整する必要がないという効果も有している。仮に上ガイド１３の接着面が平面であるとすれば、下ガイド１２により規定された角度とその平面が傾いている場合、所望の接着面積が得られない。このとき粘着テープ１を引く力は極めて軽くなるが、切刃１４によってカットする際にも滑ってしまうという問題がある。しかし接着面を円弧面１３ａとしたことにより、上ガイド１３の部品精度または取付精度が低い場合でも確実に接着することができ、好適にカットすることが可能となる。
【００５１】
上記説明した如く、本実施例に係るテープカッター２によれば、揺動した切刃１４が戻る際に確実に上方向のループ１ａを形成することができ、テープ先端に非接着部分を形成することができる。
【００５２】
［第二実施例］
本発明に係るテープカッターの第二実施例について説明する。図５は第二実施例に係るテープカッターの全体構成図、図６はテープカッターの要部説明図、図７は動作を説明する図である。上記第一実施例と説明の重複する部分については、同一の符号を付して説明を省略する。
【００５３】
（構成の説明）
図５に示すように、本実施例に係るテープカッター３は、上記第一実施例にて説明した回転体１５に代えて、ドラム２０を有している点で異なっている。
【００５４】
ドラム２０は円柱に切欠部２１を備え、この切欠部２１内に上ガイド１３が位置するように配置されて、テープ引き出し方向に回転自在に支持されている。切欠部２１の下流側には、切刃１４が設けられている。図６（ａ）に示すように、ドラム２０にはバネ１６（付勢手段）が取り付けられており、切刃１４を上ガイド１３に向かって付勢している。切欠部２１の上流側の壁面２１ａはドラム２０が回転することによって上ガイド１３に衝突するため、回動角を規制するためのストッパ部を構成している。
【００５５】
またドラム２０の切刃１４より下流側に隣接して接着部２０ａが設けられ、切刃１４の下流側かつドラム２０の下方に段部２０ｂを備えている。これら接着部２０ａ、段部２０ｂは、図４を用いて説明した回転体１５の接着部１５ａ、段部１５ｂと同様の作用を有している。
【００５６】
さらに切刃１４の上流側かつ上ガイド１３の下方には、突き上げ部２１ｂを備えている。これにより、切刃１４と上ガイド１３との間の粘着テープ１が下方にループした際にこれと接触して突き上げるため、仮に粘着テープ１が下方にループしてしまった場合でも、上方へと修正することができる。なお突き上げ部２１ｂは、テープが接着しにくい素材（例えば表面の粗い樹脂素材）または形状（例えば先端が鋭利に突出した形状）であることが望ましい。
【００５７】
上記のように構成することにより、回転体の構造の簡略化を図ることができ、部品精度を緩和し、強度向上による材質選択の幅の増加させることができる。また切欠部２１の壁面２１ａによってストッパ部を構成したことにより、部品点数を削減することができる。これらのことから、生産コストの低減化を図ることができる。
【００５８】
また図６（ｂ）に示すように、テープカッター３にドラム２０の回転を規制および規制解除するための係止部材１８を設け、ドラム２０には係止部材１８と係合するための凹部２１ｃを設けることでもよい。このように回転を規制することにより、通常のテープカッターと同様に非接着部分を形成しないテープカッターとしても利用することができる。なお、係止部材の形状は図示のものに限定されず、例えばかんぬき式のものなど、様々な構成を取ることができる。
【００５９】
（動作の説明）
次に、上記構成のテープカッター３の動作について説明する。図７（ａ）に示すように、使用者が手で粘着テープ１を引くことにより、ドラム２０はバネ１６の弾性力に抗して回転を開始する。
【００６０】
図７（ｂ）に示すように、ドラム２０が回動すると、やがて壁面２１ａが上ガイド１３に当接してドラム２０の回動が規制される。ここでさらに粘着テープ１を引くことにより、切刃１４によってテープがカットされる。
【００６１】
図７（ｃ）に示すように、粘着テープ１がカットされた後は、ドラム２０はバネ１６の付勢力によって回動し、上ガイド１３に当接して停止する。このとき粘着テープ１は、切刃１４の先端と、上ガイド１３の円弧面１３ａとに接着しており、上方に向かってループ１ａが形成される。このループ１ａを次回使用時に把持することにより、非接着部分（タブ）が粘着テープ１の先端に形成される。
【００６２】
なお、図７（ｄ）に示すように、仮に下方にループ１ａが形成された場合であっても、突き上げ部２１ｂに当接することにより粘着テープ１が突き上げられ、上方へと修正することができる。
【００６３】
上記説明した如く、本実施例に係るテープカッター３によれば、揺動した切刃１４が戻る際に確実に上方向のループ１ａを形成することができ、テープ先端に非接着部分を形成することができる。
【００６４】
［第三実施例］
本発明に係るテープカッターの第三実施例について説明する。図８は第三実施例にかかるテープカッターの要部構成図、図９は動作を説明する図である。上記第一および第二実施例と説明の重複する部分については同一の符号を付して説明を省略する。
【００６５】
（構成の説明）
図８に示すように、本実施例にかかるテープカッター４は、上記上ガイド１３に代えて、回転自在なローラからなる上ガイドローラ３０を備えている。また切刃１４の上流側には、切刃１４と共に揺動する接着台２１ｃを備えている。また下ガイド１２は、本体に対して回転自在に支持されたアーム３１に取り付けられており、ほぼ上下方向に揺動可能となっている。なお、アーム３１の上下の揺動幅を数ミリ程度に規制しておくことが好ましい。
【００６６】
粘着テープ１は、上記実施例と同様に、下ガイド１２の下をくぐった後に上ガイドローラ３０の上を通り、切刃１４へと到るようにセットされる。従って粘着テープ１を引き出す際には下ガイド１２は持ち上げられ、下ガイド１２およびアーム３１の自重によりテープを下方に付勢する。
【００６７】
（動作の説明）
次に、上記構成のテープカッター４の動作について説明する。図９（ａ）に示すように、使用者が手で粘着テープ１を引くことにより、ドラム２０はバネ１６（図６（ａ）参照）の弾性力に抗して回転を開始する。このとき、上ガイドがローラによって構成されていることから、より軽い力で粘着テープ１を引くことができる。
【００６８】
図９（ｂ）に示すように、ドラム２０が回動すると、やがて壁面２１ａが上ガイドローラ３０に当接してドラム２０の回動が規制される。このとき粘着テープ１は切刃１４の上流側において接着台２１ｃに接着しており、下流側において手で下方向に粘着テープ１を引くことにより、粘着テープ１に切刃１４を食い込ませてカットすることができる。すなわち上記第一および第二実施例においては上ガイド１３に粘着テープ１を接着させてカットしていたところ、本実施例で上ガイドはローラであるために、代わりに接着台２１ｃを設けたものである。
【００６９】
図９（ｃ）に示すように、粘着テープ１がカットされた後は、ドラム２０はバネ１６の付勢力によって回動し、上ガイドローラ３０に当接して停止する。このとき粘着テープ１は、接着台２１ｃと、上ガイドローラ３０とに接着している。ここで下ガイド１２が粘着テープ１を下方向に付勢していることから、粘着テープ１が上流側へと引かれ、上ガイドローラ３０が回転する。これにより上ガイドローラ３０に接着した粘着テープ１は上方向に向くため、確実に上方向のループ１ａが形成される。
【００７０】
なお、仮に下ガイド１２が粘着テープ１を引かないとすれば、上ガイドローラ３０に接着した粘着テープ１の接線は、まっすぐ接着台２１ｃへと向かったままとなる。すると切刃１４が戻る際に、ループ１ａは上方向にいく場合もあるが、下方向に行く場合もあり、動作の確実性が低くなってしまう。しかし上記構成によれば半ば強制的に上方向にループ１ａを形成することができるため、動作の確実性を極めて高くすることができる。
【００７１】
また、接着台２１ｃの上流側端部は、粘着テープ１をカットした際に上ガイドローラ３０の上側接線と接着台２１ｃとを結ぶ直線に対して上方向に傾斜していることが好ましい。これにより、より確実に上方向にループを形成することができる。
【００７２】
上記説明した如く、本実施例に係るテープカッター４によれば、上ガイドをローラによって構成したことにより、粘着テープ１を引く力を更に軽くすることができる。また、下ガイド１２が１を下方に付勢するよう構成したことにより、揺動した切刃１４が戻る際に下ガイドがテープを引くために確実に上方向のループ１ａを形成することができる。
【００７３】
なお、本実施例において下ガイド１２は自重によって粘着テープ１を付勢するよう説明したが、バネなどの付勢手段を設けることにより、さらに付勢力を増加させることができる。自重のみによれば構造の簡略化と耐久性を図ることができ、付勢手段を追加すれば動作の確実性を増すことができる。
【産業上の利用可能性】
【００７４】
本発明は、テープ先端に非接着部分を形成することのできるテープカッターとして利用することができる。
【図面の簡単な説明】
【００７５】
【図１】第一実施例に係るテープカッターの全体構成図である。
【図２】動作を説明する図である。
【図３】他の構成例を説明する図である。
【図４】回転体の回動の開始を説明する図である。
【図５】第二実施例に係るテープカッターの全体構成図である。
【図６】テープカッターの要部説明図である。
【図７】動作を説明する図である。
【図８】第三実施例にかかるテープカッターの要部構成図である。
【図９】動作を説明する図である。
【図１０】従来のテープカッターを説明する図である。
【符号の説明】
【００７６】
１     …粘着テープ
１ａ   …ループ
２〜４     …テープカッター
１１   …ホイール
１２   …下ガイド
１３   …上ガイド
１３ａ  …円弧面
１３ｂ  …平面部
１３ｃ  …平面部
１３ｄ  …テーパ
１４   …切刃
１５   …回転体
１５ａ  …接着部
１５ｂ  …段部
１６   …バネ
１７   …ストッパ
１８   …係止部材
２０   …ドラム
２０ａ  …接着部
２０ｂ  …段部
２１   …切欠部
２１ａ  …壁面
２１ｂ  …突き上げ部
２１ｃ  …接着台
３０   …上ガイドローラ
３１   …アーム
１００  …一般品
１０１  …ホイール
１０２  …接着台
１０３  …切刃
１０４  …溝
【図１】
2007137601.tif 000003
【図２】
2007137601.tif 000004
【図３】
2007137601.tif 000005
【図４】
2007137601.tif 000006
【図５】
2007137601.tif 000007
【図６】
2007137601.tif 000008
【図７】
2007137601.tif 000009
【図８】
2007137601.tif 000010
【図９】
2007137601.tif 000011
【図１０】
2007137601.tif 000012